(57)【要約】      （修正有）【課題】ワイヤー支持具とレリースワイヤの接続の際、レリースワイヤの破損を防止でき、且つワンタッチで取り付けることが出来、更にはキャップ体の紛失を防止できる遠隔操作式排水栓装置を提供する。【解決手段】槽体に採用される遠隔操作式排水栓装置において、ワイヤー支持具１３を、上方から下方へ向かうほど内側方向へ縮径するリング部１４、ホルダー部１８内周面に、内側方向に突出するリブを構成してレリースワイヤ９の排水栓本体３側端部を抜脱不可に固定配置させる係合部１９、ホルダー部１８の上方から下方にかけて構成された切り欠き部、ワイヤー支持具１３を排水栓本体３内へ配置したとき、リング部１４の外周の傾斜上方が排水栓本体３内に当接して内側に縮径し、リング部１４のアーム部１７を介してホルダー部１８が縮径してレリースワイヤ９の排水栓本体３側端部を抜脱不可に排水栓本体３内部に取り付た。【選択図】  図１４
2007046274.tif 000002
【特許請求の範囲】
【請求項１】
槽体１と、
槽体１の底部に構成された排水口２と、
排水口２に取り付けられる排水栓本体３と、
排水栓本体３を開口／閉口させるための弁体６と、
弁体６を遠隔的に操作するための操作部８と、
アウターチューブ１０と、アウターチューブ１０内に進退自在に収納されるインナーワイヤ１１を備え、且つ操作部８から排水栓本体３へ接続するレリースワイヤ９と、
リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、
から構成される遠隔操作式排水栓装置において、
前記ワイヤー支持具１３を排水栓本体３内へ配置したとき、リング部１４のホルダー部１８が縮径してレリースワイヤ９の排水栓本体３側端部を抜脱不可に排水栓本体３内部に取り付けることを特徴とする遠隔操作式排水栓装置。
【請求項２】
槽体１と、
槽体１の底部に構成された排水口２と、
排水口２に取り付けられる排水栓本体３と、
排水栓本体３を開口／閉口させるための弁体６と、
弁体６を遠隔的に操作するための操作部８と、
アウターチューブ１０と、アウターチューブ１０内に進退自在に収納されるインナーワイヤ１１を備え、且つ操作部８から排水栓本体３へ接続するレリースワイヤ９と、
リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、
から構成される遠隔操作式排水栓装置において、
前記ワイヤー支持具１３を、上方から下方へ向かうほど内側方向へ縮径するリング部１４と、
ワイヤー支持具１３のホルダー部１８内周面に、内側方向に突出するリブを構成して前記レリースワイヤ９の排水栓本体３側端部を抜脱不可に固定配置させる係合部１９と、
ワイヤー支持具１３のホルダー部１８の上方から下方にかけて構成された切り欠き部２０と、
前記ワイヤー支持具１３を排水栓本体３内へ配置したとき、リング部１４の外周の傾斜上方が排水栓本体３内に当接して内側に縮径し、リング部１４のアーム部１７を介してホルダー部１８が縮径してレリースワイヤ９の排水栓本体３側端部を抜脱不可に排水栓本体３内部に取り付けることを特徴とする遠隔操作式排水栓装置。
【請求項３】
槽体１と、
槽体１の底部に構成された排水口２と、
排水口２に取り付けられる排水栓本体３と、
排水栓本体３を開口／閉口させるための弁体６と、
弁体６を遠隔的に操作するための操作部８と、
アウターチューブ１０と、アウターチューブ１０内に進退自在に収納されるインナーワイヤ１１を備え、且つ操作部８から排水栓本体３へ接続するレリースワイヤ９と、
リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、
から構成される遠隔操作式排水栓装置において、
前記ワイヤー支持具１３に、上方から下方へ向かうほど外側方向へ拡径するリング部１４と、
ワイヤー支持具１３のホルダー部１８内周面に、内側方向に突出するリブを構成して前記レリースワイヤ９の排水栓本体３側端部を抜脱不可に固定配置させる係合部１９と、
ワイヤー支持具１３のホルダー部１８の下方から上方へ向けて構成された切り欠き部２０と、
前記ワイヤー支持具１３を排水栓本体３内へ配置したとき、リング部１４の外周の傾斜下方が排水栓本体３内に当接して内側に縮径し、リング部１４のアーム部１７を介してホルダー部１８が縮径してレリースワイヤ９の排水栓本体３側端部を抜脱不可に排水栓本体３内部に取り付けることを特徴とする遠隔操作式排水栓装置。
【請求項４】
前記ワイヤー支持具１３において、リング部１４には切り欠き溝１５を構成したことを特徴とする請求項１乃至請求項３のいずれか一つに記載の遠隔操作式排水栓装置。
【請求項５】
槽体１と、
槽体１の底部に構成された排水口２と、
排水口２に取り付けられる排水栓本体３と、
排水栓本体３を開口／閉口させるための弁体６と、
弁体６を遠隔的に操作するための操作部８と、
アウターチューブ１０と、アウターチューブ１０内に進退自在に収納されるインナーワイヤ１１を備え、且つ操作部８から排水栓本体３へ接続するレリースワイヤ９と、
リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、
から構成される遠隔操作式排水栓装置において、
前記ワイヤー支持具１３のホルダー部１８に切り欠き部２０を構成し、
前記排水栓本体３内周面から中央へ向かって延出する飛び出し部５と、且つワイヤー支持具１３を排水栓本体３内に固定配置した際に当該飛び出し部５が前記ホルダー部１８の切り欠き部２０を充填して構成したことを特徴とする遠隔操作式排水栓装置。
【請求項６】
槽体１と、
槽体１の底部に構成された排水口２と、
排水口２に取り付けられる排水栓本体３と、
排水栓本体３を開口／閉口させるための弁体６と、
弁体６を遠隔的に操作するための操作部８と、
アウターチューブ１０と、アウターチューブ１０内に進退自在に収納されるインナーワイヤ１１を備え、且つ操作部８から排水栓本体３へ接続するレリースワイヤ９と、
リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、
から構成される遠隔操作式排水栓装置において、
前記ワイヤー受けのホルダー部１８に係合部１９を構成するとともに、
前記ワイヤー受けのホルダー部１８上端に回転可能に取り付けて構成したキャップ体２１を構成し、
前記キャップ体２１を回転させて排水栓本体３に対して位置固定させることで、ホルダー部１８の係合部１９と係合してレリースワイヤ９の排水栓本体３側端部をワイヤー支持具１３に係合させることを特徴とする遠隔操作式排水栓装置。
【発明の詳細な説明】
【技術分野】
【０００１】
本発明は、浴槽や洗面台等の排水口に使用される、遠隔操作式排水栓装置の改良に関するものであって、さらに詳しくは、レリースワイヤを排水栓本体内の適宜箇所に固定配置するためのワイヤー支持具に関するものである。
【背景技術】
【０００２】
従来の遠隔操作式排水栓装置として、以下のような遠隔操作式排水栓装置がある。（以下、従来例１と記載）
この従来の遠隔操作式排水栓装置は、図１に示したような槽体としての浴槽に取り付けられ、更に図２１に示した排水口と、排水栓本体と、弁体と、操作部と、レリースワイヤと、保持機構部と、ワイヤー支持具と、から構成される。
浴槽は、底部に後記する排水口を開口する。
排水口は、浴槽の底部に開口され、浴槽内の排水を下水側へと排水するための開口である。
排水栓本体は、円筒状かつ上端に外側方向に凸出するフランジを備えた部材であり、内周面に係合用リブを凸設して構成する。尚、当該排水栓本体は、前記浴槽の排水口に取り付けられる部材であって、前記フランジを排水口に取り付けて、浴槽の排水口を介して下方からナットを排水栓本体の外周に螺着させて、排水口を挟持するようにして取着して構成される。
弁体は、排水栓本体の上部に配置され、自身を昇降させることで排水栓本体を開口／閉口させる部材であり、弁体の裏面には、後記するレリースワイヤのロッド部の係合口を構成してなる。
操作部は、弁体を遠隔的に操作する押しボタンであって、浴槽の上縁部に構成される。
レリースワイヤは、４フッ化エチレンなどの樹脂から構成される円筒状のアウターチューブ、コイル状に形成された金属線から成るインナーワイヤから構成され、インナーワイヤはアウターチューブ内に進退自在に配置される。尚、当該レリースワイヤは、操作部から排水栓本体内に接続されて成り、このとき、排水栓本体側の端部にはネジを構成し、更に排水栓本体側端部のインナーワイヤ先端には金属で構成されたロッド部を構成し、前記弁体の係合口と当該ロッド部は係合固定される。また、当該レリースワイヤの操作部側端部には保持機構部及びスプリングを備えて成る。
保持機構部は、周知であるスラストロック機構（図示せず）を操作部側のレリースワイヤ端部に接続構成する。尚、当該保持機構部は、レリースワイヤのインナーワイヤの進退を保持する機構である。
ワイヤー支持具は、排水栓本体に着脱可能に取り付け固定され、後記するリング部、係合脚部、アーム部、ホルダー部、ネジ部から構成される。
リング部は、排水栓本体の内周面に配置されたときに内周面に当接して安定するリング状の部材である。
係合脚部は、前記リング部下方から下方へ垂設して構成され、排水栓本体の係合用リブに着脱可能に係合することができる。このようにワイヤー支持具の係合脚部が排水栓本体内部の係合用リブに着脱可能に係合することで、排水栓本体内にワイヤー支持具を取り付け固定することが出来る。
アーム部は、リング部内周面からリング部の中心へ向かって延出して構成され、後記するホルダー部を支持して構成される。また、アーム部を複数本構成されることで、ワイヤー支持具を排水栓本体から取り外す際の、治具の引っ掛かり部分として利用する事が出来る。
ホルダー部は、前記レリースワイヤを取り付け固定する部材であり、排水栓本体に対して中心部に配置される。円筒状に構成され、前記アーム部によってリング部に支持される。
ネジ部は、ホルダー部に構成されたレリースワイヤの排水栓本体側先端とネジ螺着するネジであり、更に詳しくはアウターチューブの先端に構成されたネジと螺着する構成である。
【０００３】
前記した従来例１の遠隔操作式排水栓装置は、以下のように施工・取り付けされる。
浴槽の排水口に排水栓本体を挿入し、排水栓本体の下方からナットなどで螺着させ、排水栓本体のフランジとナットで排水口を挟持するように取り付ける。そして、操作部からレリースワイヤを挿入し、排水栓本体側までレリースワイヤを挿通させる。その後、排水栓本体の開口からレリースワイヤをペンチなどで引き出し、レリースワイヤ先端とワイヤー支持具を接続させる。このとき、図２１の（イ）から（ロ）に示したように、レリースワイヤの先端のネジ部とワイヤー支持具のホルダー部に構成されたネジ部を螺合させることで両者の接続は完了する。
そして、レリースワイヤとの接続が終了したワイヤー支持具を図２１の（ロ）の状態で排水栓本体内へ取り付ける。この時、ワイヤー支持具の係合脚部と排水栓本体内の係合用リブを係合させることで排水栓本体内へワイヤー支持具を配置固定させることができる。このようにすることで、レリースワイヤのロッド部が排水栓本体内の中心部に配置されるようになる。
また、操作部側から保持機構部及びレリースワイヤを適宜箇所まで引き上げて、操作スイッチを取り付ける。
そして、排水栓本体内のレリースワイヤのロッド部に、弁体の係合口を係合させて、取付が終了する。
尚、排水栓本体とワイヤー支持具を取り外す場合は、ペンチや治具などでワイヤー支持具のアーム部を取り付け時とは逆に引っ張るように力を加えると、排水栓本体からワイヤー支持具を取り外すことが出来る。
【０００４】
前記のように取り付けられた従来例１の遠隔操作式排水栓装置は、以下のように作動する。
排水栓本体の弁体が閉口（下降）しているときに、操作部を押動すると、レリースワイヤのインナーワイヤが弁体側へ前進し、このインナーワイヤの前進に併せてスプリングが圧縮され、更にインナーワイヤのロッド部が前進し、ロッド部に係合している弁体も併せて上昇（開口）する。そして、当該インナーワイヤの前進及びスプリングの圧縮の状態を操作部に配置している保持機構部によって保持することで、弁体の開口状態は保持されることとなる。
また、この状態から操作部を押動させると、保持機構部の保持が解除され、その解除にあわせてスプリングの圧縮及びインナーワイヤの保持が解除して、そのスプリングの復元力によりインナーワイヤが後退し、元の位置に戻る。そうすると、レリースワイヤに係合している弁体も併せて後退（下降）し、排水栓本体に着座する事で排水栓本体を閉口させることが出来る。
以後、操作部の押し操作によって、このような作動を繰り返すことにより、排水栓本体の開口／閉口を行うことが出来る。
【０００５】
前記した従来例１の遠隔操作式排水栓装置は以下のような問題点があった。
従来例１の遠隔操作式排水栓装置では、施工・組み立ての際にワイヤー支持具とレリースワイヤを接続するが、このとき、両者はネジ螺合による接続のため、レリースワイヤを回転させなければならない。ところがレリースワイヤは故障しやすい精密部品であるため、回転などの力が加わることでインナーワイヤの座屈やアウターチューブの破損などが発生してしまい、正常に取り付けることが出来ないといった不具合が多発していた。
【０００６】
この様な従来例１のような遠隔操作式排水栓装置の問題点を解消するために、以下のような遠隔操作式排水栓装置があった。（以下、従来例２と記載）
この従来の遠隔操作式排水栓装置は、図１に示した槽体としての浴槽に取り付けられ、図２２に示した排水口と、排水栓本体と、弁体と、操作部と、レリースワイヤと、保持機構部と、ワイヤー支持具と、から構成される。
浴槽は、底部に後記する排水口を開口する。
排水口は、浴槽の底部に開口され、浴槽内の排水を下水側へと排水するための開口である。
排水栓本体は、円筒状かつ上端に外側方向に突出するフランジを備えた部材であり、内周面に係合用リブを凸設して構成する。尚、当該排水栓本体は、前記浴槽の排水口に取り付けられる部材であって、前記フランジを排水口に取り付けて、浴槽の排水口を介して下方からナットを排水栓本体の外周に螺着させて、排水口を挟持するようにして取着して構成される。
弁体は、排水栓本体の上部に配置され、自身を昇降させることで排水栓本体を開口／閉口させる部材であり、弁体の裏面には、後記するレリースワイヤのロッド部の係合口を構成してなる。
操作部は、弁体を遠隔的に操作する押しボタンであって、浴槽の上縁部に構成される。
レリースワイヤは、４フッ化エチレンなどの樹脂から構成される円筒状のアウターチューブ、コイル状に形成された金属線から成るインナーワイヤから構成され、インナーワイヤはアウターチューブ内に進退自在に配置される。尚、当該レリースワイヤは、操作部から排水栓本体内に接続されて成り、このとき、排水栓本体側端部のインナーワイヤ先端には金属で構成されたロッド部を構成し、前記弁体の係合口と当該ロッド部は係合固定される。また、当該レリースワイヤの操作部側端部にはスプリングと保持機構部を備えて成る。
保持機構部は、周知であるスラストロック機構（図示せず）をレリースワイヤの操作部側端部に接続構成する。尚、当該保持機構部は、レリースワイヤのインナーワイヤの進退を保持する機構である。
ワイヤー支持具は、排水栓本体に着脱可能に取り付け固定され、後記するリング部、係合脚部、アーム部、ホルダー部、キャップ体、係合部、から構成される。
リング部は、排水栓本体の内周面に配置されたときに内周面に当接して安定するリング状の部材である。
係合脚部は、前記リング部下方から下方へ垂設して構成され、排水栓本体の係合用リブに着脱可能に係合することができる。このようにワイヤー支持具の係合脚部が排水栓本体内部の係合用リブに着脱可能に係合することで、排水栓本体内にワイヤー支持具を取り付け固定することが出来る。
アーム部は、リング部内周面からリング部の中心へ向かって延出して構成され、後記するホルダー部を支持して構成される。また、アーム部を複数本構成されることで、ワイヤー支持具を排水栓本体から取り外す際の、治具の引っ掛かり部分として利用する事が出来る。
ホルダー部は、前記レリースワイヤを取り付け固定する部材であり、排水栓本体に対して中心部に配置される。円筒状に構成され、前記アーム部によってリング部に支持される。また、ホルダー部上方には後記するキャップ体と係合する係合部を構成して成る。このようにして、レリースワイヤを内部で係合させて排水栓本体内に配置固定させることが出来る。
係合部は、ホルダー部上方に構成された切り欠き部及び後記するキャップ体と係合する凸リブから成り、前記レリースワイヤの排水栓本体側先端をワイヤー支持具に接続するためのものである。
キャップ体は、ホルダー部とは別体であり、ホルダー部上方の係合部と係合する凹部を構成して成る。
【０００７】
前記した従来例２の遠隔操作式排水栓装置は、以下のように施工・取り付けされる。
浴槽の排水口に排水栓本体を挿入し、排水栓本体の下方からナットなどで螺合させ、排水栓本体のフランジとナットで排水口を挟持するように取り付ける。そして、操作部からレリースワイヤを挿入し、排水栓本体側までレリースワイヤを挿通させる。その後、排水栓本体の開口からレリースワイヤをペンチなどで引き出し、レリースワイヤ先端とワイヤー支持具を接続させる。このとき、図２２の（イ）のようにレリースワイヤの先端をワイヤー支持具のホルダー部に下方から挿入して、更にその後、図２２の（ロ）のようにキャップ体をホルダー部の上方から挿入し、ホルダー部の係合部の凸リブにキャップ体の凹部を係合させることで両者の接続は完了する。
そして、レリースワイヤとの接続が終了したワイヤー支持具（図２２の（ロ）の状態）を排水栓本体内へ取り付ける。この時、ワイヤー支持具の係合脚部と排水栓本体内の係合用リブを係合させることで排水栓本体内へワイヤー支持具を配置固定させることができる。このようにすることで、レリースワイヤのロッド部が排水栓本体内の中心部に配置されるようになる。
また、操作部側からレリースワイヤに接続された保持機構部を適宜箇所まで引き上げて、操作スイッチを取り付ける。
そして、排水栓本体内のレリースワイヤのロッド部に、弁体の係合口を係合させて、取付が終了する。
尚、排水栓本体とワイヤー支持具を取り外す場合は、ペンチや治具などでワイヤー支持具のアーム部を取り付け時とは逆に引っ張るように力を加えると、排水栓本体からワイヤー支持具を取り外すことが出来る。
【０００８】
前記した従来例２の遠隔操作式排水栓装置の作動は、前記した従来例１と同じ作動を行う。
【０００９】
【特許文献１】特開２００４−１９１１２
【発明の開示】
【発明が解決しようとする課題】
【００１０】
しかしながら前記した従来例２での遠隔操作式排水栓装置では以下のような問題点があった。
ワイヤー支持具とレリースワイヤの接続において、前記したような施工・組み立て方法であると、キャップ体とワイヤー支持具が別パーツとなる。このため、施工途中でキャップ体の紛失が多発することがあった。キャップ体を紛失してしまうと、それだけで施工自体が不能となってしまう、といった問題点があった。また、キャップ体とホルダー部が小さいため、取り付け難いといった問題点があった。
【００１１】
本願発明の遠隔操作式排水栓装置は、ワイヤー支持具とレリースワイヤの接続の際、レリースワイヤの破損を防止でき、且つワンタッチで取り付けることが出来、更にはキャップ体の紛失を防止できる遠隔操作式排水栓装置を提供することを目的とする。
【課題を解決するための手段】
【００１２】
本発明の遠隔操作式排水栓装置は、槽体１と、槽体１の底部に構成された排水口２と、排水口２に取り付けられる排水栓本体３と、排水栓本体３を開口／閉口させるための弁体６と、弁体６を遠隔的に操作するための操作部８と、アウターチューブ１０と、アウターチューブ１０内に進退自在に収納されるインナーワイヤ１１を備え、且つ操作部８から排水栓本体３へ接続するレリースワイヤ９と、リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、から構成される遠隔操作式排水栓装置において、前記ワイヤー支持具１３を排水栓本体３内へ配置したとき、リング部１４のホルダー部１８が縮径してレリースワイヤ９の排水栓本体３側端部を抜脱不可に排水栓本体３内部に取り付けることを特徴とする遠隔操作式排水栓装置である。
【００１３】
本発明の遠隔操作式排水栓装置は、槽体１と、槽体１の底部に構成された排水口２と、排水口２に取り付けられる排水栓本体３と、排水栓本体３を開口／閉口させるための弁体６と、弁体６を遠隔的に操作するための操作部８と、アウターチューブ１０と、アウターチューブ１０内に進退自在に収納されるインナーワイヤ１１を備え、且つ操作部８から排水栓本体３へ接続するレリースワイヤ９と、リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、から構成される遠隔操作式排水栓装置において、前記ワイヤー支持具１３を、上方から下方へ向かうほど内側方向へ縮径するリング部１４と、ワイヤー支持具１３のホルダー部１８内周面に、内側方向に突出するリブを構成して前記レリースワイヤ９の排水栓本体３側端部を抜脱不可に固定配置させる係合部１９と、ワイヤー支持具１３のホルダー部１８の上方から下方にかけて構成された切り欠き部２０と、前記ワイヤー支持具１３を排水栓本体３内へ配置したとき、リング部１４の外周の傾斜上方が排水栓本体３内に当接して内側に縮径し、リング部１４のアーム部１７を介してホルダー部１８が縮径してレリースワイヤ９の排水栓本体３側端部を抜脱不可に排水栓本体３内部に取り付けることを特徴とする遠隔操作式排水栓装置である。
【００１４】
本発明の遠隔操作式排水栓装置は、槽体１と、槽体１の底部に構成された排水口２と、排水口２に取り付けられる排水栓本体３と、排水栓本体３を開口／閉口させるための弁体６と、弁体６を遠隔的に操作するための操作部８と、アウターチューブ１０と、アウターチューブ１０内に進退自在に収納されるインナーワイヤ１１を備え、且つ操作部８から排水栓本体３へ接続するレリースワイヤ９と、リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、から構成される遠隔操作式排水栓装置において、前記ワイヤー支持具１３に、上方から下方へ向かうほど外側方向へ拡径するリング部１４と、ワイヤー支持具１３のホルダー部１８内周面に、内側方向に突出するリブを構成して前記レリースワイヤ９の排水栓本体３側端部を抜脱不可に固定配置させる係合部１９と、ワイヤー支持具１３のホルダー部１８の下方から上方へ向けて構成された切り欠き部２０と、前記ワイヤー支持具１３を排水栓本体３内へ配置したとき、リング部１４の外周の傾斜下方が排水栓本体３内に当接して内側に縮径し、リング部１４のアーム部１７を介してホルダー部１８が縮径してレリースワイヤ９の排水栓本体３側端部を抜脱不可に排水栓本体３内部に取り付けることを特徴とする遠隔操作式排水栓装置である。
【００１５】
本発明の遠隔操作式排水栓装置は、前記ワイヤー支持具１３において、リング部１４には切り欠き溝１５を構成したことを特徴とする前記段落００１２又は段落００１４のいずれか一つに記載の遠隔操作式排水栓装置である。
【００１６】
本発明の遠隔操作式排水栓装置は、槽体１と、槽体１の底部に構成された排水口２と、排水口２に取り付けられる排水栓本体３と、排水栓本体３を開口／閉口させるための弁体６と、弁体６を遠隔的に操作するための操作部８と、アウターチューブ１０と、アウターチューブ１０内に進退自在に収納されるインナーワイヤ１１を備え、且つ操作部８から排水栓本体３へ接続するレリースワイヤ９と、リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、から構成される遠隔操作式排水栓装置において、前記ワイヤー支持具１３のホルダー部１８に切り欠き部２０を構成し、前記排水栓本体３内周面から中央へ向かって延出する飛び出し部５と、且つワイヤー支持具１３を排水栓本体３内に固定配置した際に当該飛び出し部５が前記ホルダー部１８の切り欠き部２０を充填して構成したことを特徴とする遠隔操作式排水栓装置である。
【００１７】
本発明の遠隔操作式排水栓装置は、槽体１と、槽体１の底部に構成された排水口２と、排水口２に取り付けられる排水栓本体３と、排水栓本体３を開口／閉口させるための弁体６と、弁体６を遠隔的に操作するための操作部８と、アウターチューブ１０と、アウターチューブ１０内に進退自在に収納されるインナーワイヤ１１を備え、且つ操作部８から排水栓本体３へ接続するレリースワイヤ９と、リング状のリング部１４、リング部１４を排水栓本体３内に係合固定する係合脚部１６、リング部１４の中心に向かって延出して構成されるアーム部１７、前記レリースワイヤ９の排水栓本体３側端部を排水栓本体３内に固定配置させるために、アーム部１７によってリング部１４中心に配置された円筒状のホルダー部１８、から構成され排水栓本体３内に配置されるワイヤー支持具１３と、から構成される遠隔操作式排水栓装置において、前記ワイヤー受けのホルダー部１８に係合部１９を構成するとともに、前記ワイヤー受けのホルダー部１８上端に回転可能に取り付けて構成したキャップ体２１を構成し、前記キャップ体２１を回転させて排水栓本体３に対して位置固定させることで、ホルダー部１８の係合部１９と係合してレリースワイヤ９の排水栓本体３側端部をワイヤー支持具１３に係合させることを特徴とする遠隔操作式排水栓装置である。
【発明の効果】
【００１８】
本発明の遠隔操作式排水栓装置は上記のように構成したため、以下のような優れた効果を奏する。
１）請求項１に記載の本発明では、前記ワイヤー支持具１３を排水栓本体３内へ配置したとき、リング部１４のホルダー部１８が縮径してレリースワイヤ９の排水栓本体３側端部を抜脱不可に排水栓本体３内部に取り付けることができるようになったので、キャップ体など別パーツに構成することがないから、紛失の恐れが無い。また、排水栓本体３にワイヤー支持具１３を取り付ける時には、同時にワイヤー支持具１３とレリースワイヤ９が取り付けられるため、非常に手間無くワンタッチで取り付ける事が出来る。又、従来例と比較して、部材点数が減少しているため、部材点数減によるコストダウンが達成できる。
２）請求項２に記載の本発明では、ワイヤー支持具１３を、上方から下方へ向かうほど内側方向へ縮径するリング部１４と、ワイヤー支持具１３のホルダー部１８内周面に、内側方向に突出するリブを構成して前記レリースワイヤ９の排水栓本体３側端部を抜脱不可に固定配置させる係合部１９と、ワイヤー支持具１３のホルダー部１８の上方から下方にかけて構成された切り欠き部２０と、前記ワイヤー支持具１３を排水栓本体３内へ配置したとき、リング部１４の外周の傾斜上方が排水栓本体３内に当接して内側に縮径し、リング部１４のアーム部１７を介してホルダー部１８が縮径してレリースワイヤ９の排水栓本体３側端部を抜脱不可に排水栓本体３内部に取り付るようにした。これによって、キャップ体など別パーツに構成することがないから、紛失の恐れが無い。また、排水栓本体３にワイヤー支持具１３を取り付ける時には、同時にワイヤー支持具１３とレリースワイヤ９が取り付けられるため、非常に手間無くワンタッチで取り付ける事が出来る。又、従来例と比較して、部材点数が減少しているため、部材点数減によるコストダウンが達成できる。
３）請求項３に記載の本発明では、ワイヤー支持具１３に、上方から下方へ向かうほど外側方向へ拡径するリング部１４と、ワイヤー支持具１３のホルダー部１８内周面に、内側方向に突出するリブを構成して前記レリースワイヤ９の排水栓本体３３側端部を抜脱不可に固定配置させる係合部１９と、ワイヤー支持具１３のホルダー部１８の下方から上方へ向けて構成された切り欠き部２０と、前記ワイヤー支持具１３を排水栓本体３内へ配置したとき、リング部１４の外周の傾斜下方が排水栓本体３内に当接して内側に縮径し、リング部１４のアーム部１７を介してホルダー部１８が縮径してレリースワイヤ９の排水栓本体３側端部を抜脱不可に排水栓本体３内部に取り付るようにした。これによって、キャップ体など別パーツに構成することがないから紛失の恐れが無い。また、排水栓本体３にワイヤー支持具１３を取り付ける時には、同時にワイヤー支持具１３とレリースワイヤ９が取り付けられるため、非常に手間無くワンタッチで取り付ける事が出来る。又、従来例と比較して、部材点数が減少しているため、部材点数減によるコストダウンが達成できる。
４）請求項４に記載の本発明では、ワイヤー支持具１３において、リング部１４に切り欠き溝１５を構成したことから、排水栓本体３にワイヤー支持具１３を取り付ける際に、リング部１４に過大な付加が加わっても、リング部１４が破損することがなくなった。
５）請求項５に記載の本発明では、ワイヤー支持具１３のホルダー部１８に切り欠き部２０を構成し、前記排水栓本体３内周面から中央へ向かって延出する飛び出し部５と、且つワイヤー支持具１３を排水栓本体３内に固定配置した際に当該飛び出し部５が前記ホルダー部１８の切り欠き部２０を充填した。これによって、キャップ体など別パーツに構成することがないから紛失の恐れがない。また、排水栓本体３にワイヤー支持具１３を取り付ける時には、同時にワイヤー支持具１３とレリースワイヤ９が取り付けられるため、非常に手間無くワンタッチで取り付ける事が出来る。又、従来例と比較して、部材点数が減少しているため、部材点数減によるコストダウンが達成できる。
６）請求項６に記載の本発明では、ワイヤー受けのホルダー部１８外周面に係合部１９を構成するとともに、前記ワイヤー受けのホルダー部１８上端に回転可能に取り付けて構成したキャップ体２１を設けて成り、当該キャップ体２１の内周には、前記キャップ体２１を回転させて排水栓本体３に対して位置固定させることで、ホルダー部１８の係合部１９と係合して、レリースワイヤ９の排水栓本体３側端部をワイヤー支持具１３に係合させるように構成した。キャップ体２１とホルダー部１８は一体の部材として機能するのであって、別パーツの構成ではないからキャップ体２１を紛失する恐れは無い。
【実施例】
【００１９】
本発明の遠隔操作式排水栓装置の第１実施例を、図１乃至図１５を参照しつつ説明する。
本実施例の遠隔操作式排水栓装置は、図１に示した槽体１としての浴槽１と、図２に示した排水口２と、排水栓本体３と、弁体６と、操作部８と、レリースワイヤ９と、保持機構部２２と、ワイヤー支持具１３と、から構成される。
浴槽１は、底部に排水口２を開口する。
排水口２は、浴槽１の底部に開口され、浴槽１内の排水を下水側へと排水するための開口である。
排水栓本体３は、円筒状かつ上端に外側方向に突出するフランジを備えた部材であり、内周面に係合用リブ４を凸設して構成する。尚、当該排水栓本体３は、前記浴槽１の排水口２に取り付けられる部材であって、前記フランジを排水口２に取り付けて、浴槽１の排水口２を介して下方からナットを排水栓本体３の外周に螺着させて、排水口２を挟持するようにして取着される。
弁体６は、排水栓本体３の上部に配置され、自身を昇降させることで排水栓本体３を開口／閉口させる部材であり、弁体６の裏面には、後記するレリースワイヤ９のロッド部１２の係合口７を構成してなる。
操作部８は、弁体６を遠隔的に操作する押しボタンを備えて、浴槽１の上縁部に構成される。
レリースワイヤ９は、４フッ化エチレンなどの樹脂から構成される円筒状のアウターチューブ１０、コイル状に形成された金属線から成るインナーワイヤ１１から構成され、インナーワイヤ１１はアウターチューブ１０内に進退自在に配置される。尚、当該レリースワイヤ９は、操作部８から排水栓本体３内に接続されて成り、このとき、排水栓本体３側端部のインナーワイヤ１１先端には金属材のロッド部１２を構成し、前記弁体６の係合口７と当該ロッド部１２は係合固定される。また、当該レリースワイヤ９の操作部８側端部には後記する保持機構部２２とスプリングを備えて成る。
保持機構部２２は、周知であるスラストロック機構（図示せず）を操作部８側に配置構成する。尚、当該保持機構部２２は、レリースワイヤ９のインナーワイヤ１１の進退を保持する機構であって、レリースワイヤ９の操作部８側端部に備えられる。
ワイヤー支持具１３は、図３乃至図９に示したように排水栓本体３に着脱可能に取り付け固定される部材であって、後記するリング部１４、係合脚部１６、アーム部１７、ホルダー部１８、係合部１９から構成される。また、ワイヤー支持具１３は、レリースワイヤ９の端部を排水栓本体３内に配置固定させるための部材である。
リング部１４は、排水栓本体３の内周面に配置されたときに内周面に当接して安定するリング状の部材である。また、当該実施例では、リング部１４の外周面に、図５及び図７のように中心からアーム部１７に対して４５°の角度に切り欠き溝１５を構成してなる。そして、リング部１４上端から下方へ向かって連続しながら内側方向へ縮径されて構成される。
係合脚部１６は、図９に示したように前記リング部１４下方から下方へ垂設して構成され、排水栓本体３の係合用リブ４に着脱可能に係合することができる。このようにワイヤー支持具１３の係合脚部１６が、排水栓本体３内部の係合用リブ４に着脱可能に係合することで、排水栓本体３内にワイヤー支持具１３を取り付け固定することが出来る。
アーム部１７は、リング部１４内周面からリング部１４の中心へ向かって延出して構成され、後記するホルダー部１８を支持して構成される。また、アーム部１７を複数本（本実施例では図５のように対向位置に２本）構成することで、ワイヤー支持具１３を排水栓本体３から取り外す際の、治具の引っ掛かり部分として利用する事が出来る。
ホルダー部１８は、内部に前記レリースワイヤ９を取り付け固定する部材であり、排水栓本体３に対して中心部に配置される。ホルダー部１８は、円筒状に構成され、前記アーム部１７によってリング部１４に支持される。また、ホルダー部１８内面には係合部１９及び切り欠き部２０が構成される。尚、切り欠き部２０の位置は、図５のように平面視、切り欠き部２０からホルダー部１８、中心からアーム部１７の成す角度が９０°となる位置である。
係合部１９は、ホルダー部１８上部に構成された凸リブから構成される。
【００２０】
また、第１実施例の遠隔操作式排水栓装置は以下のように施工・組み立てられる。
図２のように浴槽１の排水口２に排水栓本体３を挿入し、排水栓本体３の下方からナットを螺着させ、排水栓本体３のフランジとナットで排水口２を挟持するように取り付ける。操作部８からレリースワイヤ９を挿入し、排水栓本体３側までレリースワイヤ９を挿通させる。その後、排水栓本体３の開口からレリースワイヤ９をペンチなどで引き出し、図１０から図１１のようにレリースワイヤ９先端をワイヤー支持具１３のホルダー部１８に挿入する。そして、図１１の状態のままで排水栓本体３内にワイヤー支持具１３を挿入する。深く挿入すればするほどリング部１４の上方の傾斜が排水栓本体３の内周面に当接してリング部１４上方が内方に縮径する。そうすると、リング部１４の縮径に併せてホルダー部１８も切り欠き部２０により内方に撓む。このとき、リング部１４に構成された切り欠き溝１５によって、リング部１４に加わる応力を吸収することができ、リング部１４の欠損を防止することが出来る。
このホルダー部１８内部の係合部１９もそれに併せて内方に縮径することで、レリースワイヤ９端部が係合部１９に係合されてレリースワイヤ９がワイヤー支持具１３に接続される。
そして、図１３のようにワイヤー支持具１３の係合脚部１６と排水栓本体３内の係合用リブ４を係合させることで排水栓本体３内へワイヤー支持具１３を配置固定させることができる。このようにすることで、レリースワイヤ９のロッド部１２が排水栓本体３内の中心部に配置されるようになる。
また、操作部８側からレリースワイヤ９と保持機構部２２を適宜箇所まで引き上げて、操作スイッチを取り付ける。
そして、排水栓本体３内のレリースワイヤ９のロッド部１２に、弁体６の係合口７を係合させて、取付が終了する。
尚、排水栓本体３とワイヤー支持具１３を取り外す場合は、ペンチや治具などでワイヤー支持具１３のアーム部１７を取り付け時とは逆に引っ張るように力を加えると、排水栓本体３からワイヤー支持具１３を取り外すことが出来る。
上記のような施工・組み立てとしたことから、従来例と比較して、作業工程が減少するため、施工性が向上する。また、従来例のようなキャップ体などの別パーツ部材が備えられていないことから、部材紛失などの可能性がない。また、従来例のように不必要にレリースワイヤ９に負荷を加えるような取付法ではないことから、施工時のレリースワイヤ９の座屈などの可能性が少ない。
【００２１】
また、第１実施例の遠隔操作式排水栓装置は以下のように作動する。
図１４のように排水栓本体３の弁体６が閉口（下降）しているときに、操作部８を押動すると、保持機構部２２が動作してレリースワイヤ９のインナーワイヤ１１が弁体６側へ前進し、このインナーワイヤ１１の前進に併せてスプリングが圧縮され、更にインナーワイヤ１１のロッド部１２が前進し、図１５のようにロッド部１２に係合している弁体６も併せて上昇（開口）する。そして、当該インナーワイヤ１１の前進及びスプリングの圧縮の状態を操作部８に配置している保持機構部２２によって保持することで、弁体６の開口状態は保持されることとなる。
また、この状態から操作部８を押動させると、保持機構部２２の保持が解除され、その解除にあわせてスプリングの圧縮及びインナーワイヤ１１の保持が解除して、そのスプリングの復元力によりインナーワイヤ１１が後退し、元の位置に戻る。そうすると、レリースワイヤ９に係合している弁体６も併せて後退（下降）し、図１４のように排水栓本体３に着座する事で排水栓本体３を閉口させることが出来る。
以後、操作部８の押し操作によって、このような作動を繰り返すことにより、排水栓本体３の開口／閉口を行うことが出来る。
【００２２】
次に本発明の遠隔操作式排水栓装置の第２実施例を、図１６乃至図１７を参照しつつ説明する。
本実施例の遠隔操作式排水栓装置は、図１に示した槽体１としての浴槽１と、図２に示した排水口２と、排水栓本体３と、弁体６と、操作部８と、レリースワイヤ９と、保持機構部２２と、ワイヤー支持具１３と、から構成される。
浴槽１は、底部に後記する排水口２を開口する。
排水口２は、浴槽１の底部に開口され、浴槽１内の排水を下水側へと排水するための開口である。
排水栓本体３は、円筒状かつ上端に外側方向に凸出するフランジを備えた部材であり、内周面に係合用リブ４を凸設して構成する。尚、当該排水栓本体３は、前記浴槽１の排水口２に取り付けられる部材であって、前記フランジを排水口２に取り付けて、浴槽１の排水口２を介して下方からナットを排水栓本体３の外周に螺着させて、排水口２を挟持するようにして取着して構成される。
弁体６は、排水栓本体３の上部に配置され、自身を昇降させることで排水栓本体３を開口／閉口させる部材であり、弁体６の裏面には、後記するレリースワイヤ９のロッド部１２の係合口７を構成してなる。
操作部８は、弁体６を遠隔的に操作する押しボタンを備え、浴槽１の上縁部に構成される。
レリースワイヤ９は、４フッ化エチレンなどの樹脂から構成される円筒状のアウターチューブ１０、コイル状に形成された金属線から成るインナーワイヤ１１から構成され、インナーワイヤ１１はアウターチューブ１０内に進退自在に配置される。尚、当該レリースワイヤ９は、操作部８から排水栓本体３内に接続されて成り、このとき、排水栓本体３側端部のインナーワイヤ１１先端には金属で構成されたロッド部１２を構成し、前記弁体６の係合口７と当該ロッド部１２は係合固定されて構成される。また、当該レリースワイヤ９の操作部８側端部には後記する保持機構部２２とスプリングを構成されて成る。
保持機構部２２は、周知であるスラストロック機構（図示せず）を操作部８側に配置構成する。尚、当該保持機構部２２は、レリースワイヤ９のインナーワイヤ１１の進退を保持する機構であって、レリースワイヤ９の操作部８側端部に保持機構部２２を構成して成る。
ワイヤー支持具１３は、排水栓本体３に着脱可能に取り付け固定される部材であって、後記するリング部１４、係合脚部１６、アーム部１７、ホルダー部１８、係合部１９から構成される。また、ワイヤー支持具１３は、レリースワイヤ９端部を排水栓本体３内に配置固定させるための部材である。
リング部１４は、排水栓本体３の内周面に配置されたときに内周面に当接して安定するリング状のものであって、下方から上端へ向かって連続して内側方向へ縮径するように構成される。
係合脚部１６は、前記リング部１４下方から下方へ垂設して構成され、排水栓本体３の係合用リブ４に着脱可能に係合することができる。このようにワイヤー支持具１３の係合脚部１６が排水栓本体３内部の係合用リブ４に着脱可能に係合することで、排水栓本体３内にワイヤー支持具１３を取り付け固定することが出来る。
アーム部１７は、リング部１４内周面からリング部１４の中心へ向かって延出して構成され、後記するホルダー部１８を支持して構成される。また、アーム部１７は複数本構成されることで、ワイヤー支持具１３を排水栓本体３から取り外す際の、治具の引っ掛かり部分として利用する事が出来る。
ホルダー部１８は、内部に前記レリースワイヤ９を取り付け固定する箇所であり、また、排水栓本体３に対して中心部に配置される。ホルダー部１８は、円筒状に構成され、前記アーム部１７によってリング部１４に支持される。また、ホルダー部１８内面には係合部１９及び切り欠き部２０が構成される。尚、切り欠き部２０の位置は実施例１と同様に平面視切り欠き部２０からホルダー部１８、中心からアーム部１７の成す角度が９０°となる位置で、ホルダー部１８下端から上方へ向かって構成される。
係合部１９は、ホルダー部１８上部に構成された凸リブから構成される。
【００２３】
前記した実施例２の遠隔操作式排水栓装置は、以下のように施工・組み立てられる。
浴槽１の排水口２に排水栓本体３を挿入し、排水栓本体３の下方からナットなどで螺着させ、排水栓本体３のフランジとナットで排水口２を挟持するように取り付ける。そして、操作部８からレリースワイヤ９を挿入し、排水栓本体３側までレリースワイヤ９を挿通させる。その後、図２のように排水栓本体３の開口からレリースワイヤ９をペンチなどで引き出し、レリースワイヤ９先端をワイヤー支持具１３のホルダー部１８に挿入する。そして、この状態のままで排水栓本体３内にワイヤー支持具１３を挿入する。そうすると、挿入すればするほどリング部１４の下方の傾斜が排水栓本体３の内周面に当接してリング部１４下方が内方に縮径する。そうすると、リング部１４の縮径に併せてホルダー部１８も切り欠き部２０により内方に撓む。このホルダー部１８内部の係合部１９もそれに併せて内方に縮径することで、レリースワイヤ９端部が係合部１９に係合されてレリースワイヤ９がワイヤー支持具１３に接続される。
そして、ワイヤー支持具１３の係合脚部１６と排水栓本体３内の係合用リブ４を係合させることで排水栓本体３内へワイヤー支持具１３を配置固定させることができる。このようにすることで、レリースワイヤ９のロッド部１２が排水栓本体３内の中心部に配置されるようになる。
また、操作部８側からレリースワイヤ９と保持機構部２２を適宜箇所まで引き上げて、操作スイッチを取り付ける。
そして、排水栓本体３内のレリースワイヤ９のロッド部１２に、弁体６の係合口７を係合させて、取付が終了する。
尚、排水栓本体３とワイヤー支持具１３を取り外す場合は、ペンチや治具などでワイヤー支持具１３のアーム部１７を取り付け時とは逆に引っ張るように力を加えると、排水栓本体３からワイヤー支持具１３を取り外すことが出来る。
上記のような施工・組み立てとしたことから、従来例と比較して、作業工程が減少するため、施工性が向上する。また、従来例のようなキャップ体などの別パーツ部材が備えられていないことから、紛失などの可能性がない。また、従来例のように不必要にレリースワイヤ９に負荷を加えるような取付法ではないことから、施工時のレリースワイヤ９の座屈などの可能性が少ない。
【００２４】
前記した実施例２の遠隔操作式排水栓装置は、実施例１と同様に作動する。
【００２５】
次に、本発明の遠隔操作式排水栓装置の第３実施例を、図１８を参照しつつ説明する。
本実施例の遠隔操作式排水栓装置は、図１に示した槽体１としての浴槽１と、図２に示した排水口２と、排水栓本体３と、弁体６と、操作部８と、レリースワイヤ９と、保持機構部２２と、ワイヤー支持具１３と、から構成される。
浴槽１は、底部に後記する排水口２を開口する。
排水口２は、浴槽１の底部に開口され、浴槽１内の排水を下水側へと排水するための開口である。
排水栓本体３は、円筒状かつ上端に外側方向に突出するフランジを備えた部材であり、内周面に係合用リブ４を凸設して構成する。尚、当該排水栓本体３は、前記浴槽１の排水口２に取り付けられる部材であって、前記フランジを排水口２に取り付けて、浴槽１の排水口２を介して下方からナットを排水栓本体３の外周に螺着させて、排水口２を挟持するようにして取着する。また、排水栓本体３内周面から後記するホルダー部１８の切り欠き部２０を充填してホルダー部１８を構成するために排水栓本体３中心部に向かって延出して構成される飛び出し部５を、ワイヤー支持具１３を排水栓本体３に取り付けたときにアーム部１７に対し９０°となるよう構成する。
弁体６は、排水栓本体３の上部に配置され、自身を昇降させることで排水栓本体３を開口／閉口させる部材であり、弁体６の裏面には、後記するレリースワイヤ９のロッド部１２の係合口７を構成してなる。
操作部８は、弁体６を遠隔的に操作する押しボタンであって、浴槽１の上縁部に構成される。
レリースワイヤ９は、４フッ化エチレンなどの樹脂から構成される円筒状のアウターチューブ１０、コイル状に形成された金属線から成るインナーワイヤ１１から構成され、インナーワイヤ１１はアウターチューブ１０内に進退自在に配置される。尚、当該レリースワイヤ９は、操作部８から排水栓本体３内に接続されて成り、このとき、排水栓本体３側端部のインナーワイヤ１１先端には金属材から成るロッド部１２を構成し、前記弁体６の係合口７と当該ロッド部１２は係合固定されて構成される。また、当該レリースワイヤ９の操作部８側端部にはスプリングと後記する保持機構部２２を構成されて成る。
保持機構部２２は、周知であるスラストロック機構（図示せず）をレリースワイヤ９の操作部８側端部に配置構成する。尚、当該保持機構部２２は、レリースワイヤ９のインナーワイヤ１１の進退を保持する機構である。
ワイヤー支持具１３は、図１６及び図１７に示したように排水栓本体３に着脱可能に取り付け固定される部材であって、後記するリング部１４、係合脚部１６、アーム部１７、ホルダー部１８、係合部１９から構成される。
リング部１４は、排水栓本体３の内周面に配置されたときに内周面に当接して安定するリング状の部材である。
係合脚部１６は、前記リング部１４下方から下方へ垂設して構成され、排水栓本体３の係合用リブ４に着脱可能に係合することができる。このようにワイヤー支持具１３の係合脚部１６が排水栓本体３内部の係合用リブ４に着脱可能に係合することで、排水栓本体３内にワイヤー支持具１３を取り付け固定することが出来る。
アーム部１７は、リング部１４内周面からリング部１４の中心へ向かって延出して構成され、後記するホルダー部１８を支持して構成される。また、アーム部１７を複数本構成されることで、ワイヤー支持具１３を排水栓本体３から取り外す際の、治具の引っ掛かり部分として利用する事が出来る。
ホルダー部１８は、内部に前記レリースワイヤ９を取り付け固定する部材であり、また、排水栓本体３に対して中心部に配置される。ホルダー部１８は、円筒状に構成されて、下端から上方へ向かう切り欠き部２０を構成して前記アーム部１７によってリング部１４に支持される。また、ホルダー部１８内面には係合部１９が構成される。また、排水栓本体３内部の飛び出し部５により、ワイヤー支持具１３を排水栓本体３内に取り付けた際、ホルダー部１８の切り欠き部２０を充填してホルダー部１８を構成する。尚、当該ホルダー部１８はこの飛び出し部５と合致することで、レリースワイヤ９端部を排水栓本体３側端部に配置固定することができる。
係合部１９は、ホルダー部１８内面上部に構成された凸リブから構成される。
【００２６】
前記した第３実施例の遠隔操作式排水栓装置は、以下のように施工・組み立てられる。
浴槽１の排水口２に排水栓本体３を挿入し、排水栓本体３の下方からナットを螺着させ、排水栓本体３のフランジとナットで排水口２を挟持するように取り付ける。そして、操作部８からレリースワイヤ９を挿入し、排水栓本体３側までレリースワイヤ９を挿通させる。その後、排水栓本体３の開口からレリースワイヤ９をペンチなどで引き出し、レリースワイヤ９先端をワイヤー支持具１３のホルダー部１８に挿入する。この状態のままで排水栓本体３内にワイヤー支持具１３を挿入する。このとき、ホルダー部１８の切り欠き部２０に排水栓本体３内周面の飛び出し部５を合致充填させつつ取り付ける。ホルダー部１８内面のレリースワイヤ９端部がホルダー部１８及び飛び出し部５に挟持されてホルダー部１８に取り付けられる。このようにしてレリースワイヤ９端部がホルダー部１８の係合部１９に係合されてレリースワイヤ９がワイヤー支持具１３に接続される。
そして、ワイヤー支持具１３の係合脚部１６と排水栓本体３内の係合用リブ４を係合させることで図１８のように排水栓本体３内へワイヤー支持具１３を配置固定させることができる。このようにすることで、レリースワイヤ９のロッド部１２が排水栓本体３内の中心部に配置されるようになる。
また、操作部８側からレリースワイヤ９と保持機構部２２を適宜箇所まで引き上げて、操作スイッチを取り付ける。
そして、排水栓本体３内のレリースワイヤ９のロッド部１２に、弁体６の係合口７を係合させて、取付が終了する。
尚、排水栓本体３とワイヤー支持具１３を取り外す場合は、ペンチや治具などでワイヤー支持具１３のアーム部１７を取り付け時とは逆に引っ張るように力を加えると、排水栓本体３からワイヤー支持具１３を取り外すことが出来る。
上記のような施工・組み立てとしたことから、従来例と比較して、作業工程が減少するため、施工性が向上する。また、従来例のようなキャップ体などの別パーツ部材が備えられていないことから、部材紛失などの可能性がない。また、従来例のように不必要にレリースワイヤ９に負荷を加えるような取付法ではないことから、施工時のレリースワイヤ９の座屈などの可能性が少ない。
【００２７】
前記した第３実施例の遠隔操作式排水栓装置は、実施例１と同様に作動される。
【００２８】
次に、本発明の遠隔操作式排水栓装置の第４実施例を、図１９乃至図２０を参照しつつ説明する。
本実施例の遠隔操作式排水栓装置は、図１に示した槽体１としての浴槽１と、図２に示した排水口２と、排水栓本体３と、弁体６と、操作部８と、レリースワイヤ９と、保持機構部２２と、ワイヤー支持具１３と、キャップ体２１と、から構成される。
浴槽１は、底部に後記する排水口２を開口する。
排水口２は、浴槽１の底部に開口され、浴槽１内の排水を下水側へと排水するための開口である。
排水栓本体３は、円筒状かつ上端に外側方向に突出するフランジを備えた部材であり、内周面に係合用リブ４を凸設して構成する。尚、当該排水栓本体３は、前記浴槽１の排水口２に取り付けられる部材であって、前記フランジを排水口２に取り付けて、浴槽１の排水口２を介して下方からナットを排水栓本体３の外周に螺着させて、排水口２を挟持するようにして取着される。
弁体６は、排水栓本体３の上部に配置され、自身を昇降させることで排水栓本体３を開口／閉口させる部材であり、弁体６の裏面には、後記するレリースワイヤ９のロッド部１２の係合口７を構成してなる。
操作部８は、弁体６を遠隔的に操作する押しボタンであって、浴槽１の上縁部に構成される。
レリースワイヤ９は、４フッ化エチレンなどの樹脂から構成される円筒状のアウターチューブ１０、コイル状に形成された金属線から成るインナーワイヤ１１から構成され、インナーワイヤ１１はアウターチューブ１０内に進退自在に配置される。尚、当該レリースワイヤ９は、操作部８から排水栓本体３内に接続されて成り、このとき、排水栓本体３側端部のインナーワイヤ１１先端には金属材から成るロッド部１２を構成し、前記弁体６の係合口７と当該ロッド部１２は係合固定されて構成される。また、当該レリースワイヤ９の操作部８側端部にはスプリングと後記する保持機構部２２を構成されて成る。
保持機構部２２は、周知であるスラストロック機構（図示せず）を操作部８側に配置構成する。尚、当該保持機構部２２は、レリースワイヤ９のインナーワイヤ１１の進退を保持する機構である。また、この保持機構部２２はレリースワイヤ９の端部に接続構成される。
ワイヤー支持具１３は、排水栓本体３に着脱可能に取り付け固定され、後記するリング部１４、係合脚部１６、アーム部１７、ホルダー部１８、係合部１９から構成される。
リング部１４は、排水栓本体３の内周面に配置されたときに内周面に当接して安定するリング状のものである。
係合脚部１６は、前記リング部１４下方から下方へ垂設して構成され、排水栓本体３の係合用リブ４に着脱可能に係合することができる。このようにワイヤー支持具１３の係合脚部１６が排水栓本体３内部の係合用リブ４に着脱可能に係合することで、排水栓本体３内にワイヤー支持具１３を取り付け固定することが出来る。
アーム部１７は、リング部１４内周面からリング部１４の中心へ向かって延出して構成され、後記するホルダー部１８を支持して構成される。また、アーム部１７を複数本構成することで、ワイヤー支持具１３を排水栓本体３から取り外す際の、治具の引っ掛かり部分として利用する事が出来る。
ホルダー部１８は、内部に前記レリースワイヤ９を取り付け固定する部材であり、排水栓本体３に対して中心部に配置される。ホルダー部１８は、円筒状に構成されて、上端外周面には後記するキャップ体２１の凸リブと係合する係合部１９が構成される。尚、当該ホルダー部１８はレリースワイヤ９端部を排水栓本体３側端部に配置固定することができる。
係合部１９は、ホルダー部１８内面上部に構成された凸リブから構成される。
キャップ体２１は、前記ホルダー部１８に回転可能に取り付けられて、キャップ体２１内周面には凸リブを構成して、キャップ体２１を回転させたときに当該凸リブがホルダー部１８の係合部１９に係合して、レリースワイヤ９の端部をホルダー部１８内に係止固定出来るように備えられる。
【００２９】
前記した実施例４の遠隔操作式排水栓装置は、以下のように施工・組み立てられる。
浴槽１の排水口２に排水栓本体３を挿入し、排水栓本体３の下方からナットを螺着させ、排水栓本体３のフランジとナットで排水口２を挟持するように取り付ける。そして、操作部８からレリースワイヤ９を挿入し、排水栓本体３側までレリースワイヤ９を挿通させる。その後、排水栓本体３の開口からレリースワイヤ９をペンチなどで引き出し、図１９のようにレリースワイヤ９先端をワイヤー支持具１３のホルダー部１８に挿入する。このとき、図２０のようにホルダー部１８上部のキャップ体２１を回転させて、キャップ体２１内周面の凸リブをホルダー部１８の係合部１９に係合させる。そうすることで、レリースワイヤ９の端部をホルダー部１８から脱抜不可に取り付けることができる。このようにしてレリースワイヤ９端部をワイヤー支持具１３に接続する。
この状態から、ワイヤー支持具１３を排水栓本体３内に挿入させる。
そして、ワイヤー支持具１３の係合脚部１６と排水栓本体３内の係合用リブ４を係合させることで排水栓本体３内へワイヤー支持具１３を配置固定させることができる。このようにすることで、レリースワイヤ９のロッド部１２が排水栓本体３内の中心部に配置されるようになる。
また、操作部８側からレリースワイヤ９と保持機構部２２を適宜箇所まで引き上げて、操作スイッチを取り付ける。
そして、排水栓本体３内のレリースワイヤ９のロッド部１２に、弁体６の係合口７を係合させて、取付が終了する。
尚、排水栓本体３とワイヤー支持具１３を取り外す場合は、ペンチや治具などでワイヤー支持具１３のアーム部１７を取り付け時とは逆に引っ張るように力を加えると、排水栓本体３からワイヤー支持具１３を取り外すことが出来る。
上記のような施工・組み立てとしたことから、従来例と比較して、作業工程が減少するため、施工性が向上する。また、従来例のようにレリースワイヤ９とワイヤー支持具１３の取付をするための別パーツ部材が備えられていないことから、別パーツ部材の紛失などの可能性がない。また、従来例のように不必要にレリースワイヤ９に負荷を加えるような取付方ではないことから、施工時のレリースワイヤ９の座屈などの可能性が少ない。
【００３０】
前記した実施例４の遠隔操作式排水栓装置は、実施例１と同様に作動される。
【００３１】
また、本発明は上記実施例に限定されるものではなく、特許請求の範囲に記載の範囲において適宜変更は可能である。
例えば上記実施例ではホルダー部１８からアーム部１７が２本延出して構成されるが、構成本数については特に問わない。
また、上記実施例ではホルダー部１８の切り欠き部２０、リング部１４の切り欠き溝１５の構成角度、構成箇所については特に問わない。
【図面の簡単な説明】
【００３２】
【図１】本発明の施工状態を示す断面図である。
【図２】本発明の遠隔操作式排水栓装置を示す斜視図である。
【図３】本発明の第１実施例のワイヤー支持具を示す斜視図である。
【図４】本発明の第１実施例のワイヤー支持具を示す一部切り欠き斜視図である。
【図５】本発明の第１実施例のワイヤー支持具を示す上面図である。
【図６】本発明の第１実施例のワイヤー支持具を示す図５のＡ−Ａ’断面図である。
【図７】本発明の第１実施例のワイヤー支持具を示す図５の右側面図である。
【図８】本発明の第１実施例のワイヤー支持具を示す図５の左側面図である。
【図９】本発明の第１実施例のワイヤー支持具を示す図５の底面図である。
【図１０】本発明の第１実施例の施工手順を示す断面図である。
【図１１】本発明の第１実施例の施工手順を示す断面図である。
【図１２】本発明の第１実施例の施工手順を示す斜視図である。
【図１３】本発明の第１実施例の施工手順を示す一部切り欠き斜視図である。
【図１４】本発明の第１実施例の弁体閉口時を示す断面図である。
【図１５】本発明の第１実施例の弁体開口時を示す断面図である。
【図１６】本発明の第２実施例の施工手順を示す断面図である。
【図１７】本発明の第２実施例の施工手順を示す断面図である。
【図１８】（イ）本発明の第３実施例の上面図である。（ロ）図（イ）のA-A'断面図である。
【図１９】（イ）本発明の第４実施例の接続前の上面図である。（ロ）図（イ）のA-A'断面図である。
【図２０】（イ）本発明の第４実施例の接続後上面図である。（ロ）図（イ）のA-A'断面図である。
【図２１】従来例を示す断面図である。
【図２２】従来例を示す断面図である。
【符号の説明】
【００３３】
１      槽体（浴槽）
２      排水口
３      排水栓本体
４      係合用リブ
５      飛び出し部
６      弁体
７      係合口
８      操作部
９      レリースワイヤ
１０    アウターチューブ
１１    インナーワイヤ
１２    ロッド部
１３    ワイヤー支持具
１４    リング部
１５    切り欠き溝
１６    係合脚部
１７    アーム部
１８    ホルダー部
１９    係合部
２０    切り欠き部
２１    キャップ体
２２    保持機構部
【図１】
2007046274.tif 000003
【図２】
2007046274.tif 000004
【図３】
2007046274.tif 000005
【図４】
2007046274.tif 000006
【図５】
2007046274.tif 000007
【図６】
2007046274.tif 000008
【図７】
2007046274.tif 000009
【図８】
2007046274.tif 000010
【図９】
2007046274.tif 000011
【図１０】
2007046274.tif 000012
【図１１】
2007046274.tif 000013
【図１２】
2007046274.tif 000014
【図１３】
2007046274.tif 000015
【図１４】
2007046274.tif 000016
【図１５】
2007046274.tif 000017
【図１６】
2007046274.tif 000018
【図１７】
2007046274.tif 000019
【図１８】
2007046274.tif 000020
【図１９】
2007046274.tif 000021
【図２０】
2007046274.tif 000022
【図２１】
2007046274.tif 000023
【図２２】
2007046274.tif 000024